(57)【要約】      （修正有）【課題】箱からボトルを取り出すことなくウォーターサーバーへ容易にセット可能なウォーターサーバー用ボトル輸送箱を提供する。【解決手段】段ボール等厚紙により輸送箱本体Ａが形成され、少なくともその本体上面の開口が本体の側壁に連なるフラップ６ａ〜９ａによって開閉可能に封緘できるようにされ、かつ本体の対向する側面に手穴１０が形成されているウォーターサーバー用ボトルの包装箱である。箱内の対向側面間に同じ厚紙製の固定フレームＢが設置されている。固定フレームＢはボトルの首部を挿入し肩部を上から押さえ固定できる挿入溝２１を有する上板２２と、その上板の両端に連なり箱本体の対向側面に内接するように連接した２枚の内接板２３、２４とから成っている。【選択図】図１
0003157488.tif 000002
【実用新案登録請求の範囲】
【請求項１】
厚紙製の箱上面が少なくとも箱本体の側壁に連なるフラップによって開閉可能に封緘できるようにされ、かつ本体の対向する側面に手穴が形成されているウォーターサーバー用ボトルの箱と、
前記箱内の対向側面間に設置される厚紙製の固定フレームであり、前記ボトルの首部を挿入し肩部を上から押さえ固定できる挿入溝を有する上板と、その上板の両端に連なり箱本体の対向側面に内接するように連接した２枚の内接板とから成る固定フレームとから成り、
前記内接板に手穴を形成し、その手穴と箱本体の対向する側面に形成した手穴とが同じ位置に形成され、輸送箱の手穴と固定フレームの手穴とを指を入れ同時に把持することができるようにしたことを特徴とするウォーターサーバー用ボトルセット冶具兼輸送箱。
【請求項２】
前記手穴が斜めの方向に形成されている請求項１に記載のウォーターサーバー用ボトルセット冶具兼輸送箱。
【請求項３】
前記箱本体は、Ａ式の外装箱である請求項１に記載のウォーターサーバー用ボトルセット冶具兼輸送箱。
【考案の詳細な説明】
【技術分野】
【０００１】
本考案は、液体容器の輸送箱であって、特にウォーターサーバー用ボトルセット用冶具兼輸送箱に関する。
【背景技術】
【０００２】
近年、飲料用の水は水道水ではなく、市販のミネラルウォーターを購入する人が増えてきている。また最近では、ウォーターサーバーを利用する家庭やオフィスも増えてきている。ウォーターサーバーは温水と冷水がいつでも使える給水器である。
【０００３】
ウォーターサーバーには卓上タイプと床置きタイプとがある。いずれのタイプも、各サーバーの上部に専用の飲料水ボトルを逆さに設置し、その専用ボトルでデリバリーされた水をサーバー内に注水して、きれいな水を好きなときに飲むことができるようにされている。
従来のウォーターサーバー用ボトルは「ガロンボトル」と呼ばれおり、使用後ボトルを回収再利用するリターナブルボトルが一般的であったが、環境負荷低減のために、ＰＥＴのようなリサイクル可能な樹脂を使用して、自立可能に成形した使い切りの「成形ボトル」が、少数ではあるが使用され始めている。
【考案の概要】
【考案が解決しようとする課題】
【０００４】
しかしその成形ボトルは、従来の「ガロンボトル」に較べると本体が変形しやすかった。またボトル表面が滑りやすい、破れて水漏れしやすい等のため取扱に注意を要するので、そのボトルを破損させないように剛性のある箱に収容して配送し、保管をしなければならなかった。さらにまた箱から使用者が取り出しサーバーに設置するとき、サーバーの上部に専用のボトルを逆さに設置する必要がある。しかし、そのボトルは重くて持ちにくいので、交換作業時に、ボトルを落とし破損させる恐れがあった。
【０００５】
そこで、本考案の目的はこのような問題点を解消するものである。
すなわち本考案は、上記のような変形し易いウォーターサーバー用ボトルを輸送し保管するための剛性のある外装箱を提供するものである。
また、ウォーターサーバーにボトルを設置する際、ボトルを箱から取り出さずに、箱に入れたままボトルを逆さに設置することができるようにするとともに、ボトル設置後は、上記外装箱を容易に取り外すことができるウォーターサーバー用ボトルセット冶具兼輸送箱を提供することを目的とする。
【課題を解決するための手段】
【０００６】
上記目的を達成するために、本考案のウォーターサーバー用ボトルセット冶具兼輸送箱は、請求項１に記載したように、
段ボール等の厚紙により輸送箱本体が形成され、少なくともその本体上面の開口が本体の側壁に連なるフラップによって開閉可能に封緘できるようにされ、かつ本体の対向する側面に手穴が形成されている箱本体と、前記箱内の対向側面間に設置される同じ厚紙製の固定フレームであり、前記ボトルの首部を挿入し肩部を上から押さえ固定できる挿入溝を有する上板と、その上板の両端に連なり箱本体の対向側面に内接するように連接した２枚の内接板とから成る固定フレームとから成るウォーターサーバー用ボトルの包装箱である。
そして前記内接板に手穴を形成し、その手穴と箱本体の対向する側面に形成した手穴とが同じ位置に形成され、輸送箱の手穴と、固定フレームの手穴とを指を入れ同時に把持することができるようにしたことを特徴とする。
また本考案は、前記手穴が斜めの方向に形成されている請求項１に記載のウォーターサーバー用ボトルセット冶具兼輸送箱である。さらに前記箱本体は、Ａ式の外装箱である請求項１に記載のウォーターサーバー用ボトルセット冶具兼輸送箱である。
【考案の効果】
【０００７】
本考案のボトルセット冶具兼輸送箱は、従来の「ガロンボトル」に替わる新しいタイプの成形ボトルを安全に搬送・保管できるばかりでなく、輸送箱に形成した手穴と、輸送箱内に設置する固定フレームに形成した手穴とが対応位置にあるので、使用状態において、両手穴は互いに連通状態となり、箱本体と固定フレームの手穴に指を入れて同時に把持できるため、箱本体と固定フレームを同時にひっくり返してもボトルが箱から飛び出すことなく固定できる。
従って、飲料水ボトルをサーバーにセットする時、ボトルを箱内から一々取り出す必要がなく、箱に入れたままでボトルをサーバーに逆向きセットすることができる。
また、固定フレームと箱本体は接着されていないので、ボトルをサーバーに設置後、ボトルより箱本体と固定フレームとを容易に取り外すことができるので、ボトルの交換作業が安全容易に行える利点がある。
また手穴の形成位置を水平位置より傾けて形成させた場合、ボトルをサーバーにセットするとき、輸送箱を逆さにする操作がし易くなる効果を有する。
【図面の簡単な説明】
【０００８】
【図１】図１は本考案の輸送箱の一実施例を示す分解斜視図である。
【図２】図１の輸送箱本体（Ａ）と固定フレーム（Ｂ）の展開図である。
【図３】ウォーターサーバー用ボトルの一例を示す説明図である。
【図４】図２の固定パッドを図３のボトルに装着した状態を示した説明図である。
【図５】収容状態を示した本考案の輸送箱の斜視図である。
【図６】本考案の要部断面図である。
【考案を実施するための形態】
【０００９】
本考案は、重くて持ちにくいウォーターサーバー用ボトルの搬送と交換作業が容易な輸送箱を簡単な構成で実現した。
【実施例】
【００１０】
次に本考案の一実施例を図面に基づき説明する。
図１及び図２において、Ａは輸送箱であり、段ボールなどの剛性のある厚紙素材を打ち抜いて形成されている。Ｂは輸送箱の内部に設置するパットと呼ばれる固定フレームであり、同じく段ボールなどの厚紙素材を打ち抜いて形成されている。
図２の箱Ａは、包装業界でＡ式箱と呼ばれる最も汎用的に使用されている形式（ＪＩＳ−０２０１）の外装箱であって、全フラップが同じ長さで、外フラップがつき合わせとなるタイプである。同図において、符号１〜４は折り目を介して一方向に連接した側壁であり、５の繋ぎ代により角筒状に組立て連繋される。６ａ〜９ａは各側壁の上辺に折り目を介して連接した外フラップ又は内フラップである。６ｂ〜９ｂは各側壁の下辺に折り目を介して連接した外フラップ又は内フラップである。これらの側壁に連なるフラップによって、角筒状に連繋された箱本体の上面または下面が開閉可能に封緘できるようにされている。
符号１０と１１は、対向する側壁２と４の略中央に形成した手穴である。この手穴は斜めに形成されており、図示例の場合は垂直軸に対して略４５度傾けて形成されている。
【００１１】
図２に符号Ｂとして示す固定フレームは、ボトルＧの首部ｇ1を挿入し、ボトルの肩部を上から押さえ固定できる挿入溝２１を有する上板２２と、上板の両端に連なり箱本体の対向する側壁２，４に内接するように連接した一対の内接板２３，２４とから成っている。内接板２３，２４は、前記箱本体の側壁２，４と対応する大きさに形成されていると共に、それぞれの内接板の中央に斜めに傾斜した手穴２５、２６が形成されている。この手穴は、側壁２と４の略中央に形成した手穴と対応するように形成されている。
【００１２】
上記のように構成されている固定フレームＢは、図４に示すように、使用時に、ボトルＧの首部ｇ1を挿入する上板２２の端部から一対の内接板２３，２４を直角に折り曲げ、ボトルの側面に接するように折り曲げてから、上記輸送箱の内部に組立て設置される。
このようにすると、図５及び図６に示すように、ボトルの首部を上から押さえて固定する上板２２は、ウォーターサーバー用ボトルＧ（図３参照）を、箱内で動揺することがないように外装箱の側壁２、４間に固定し、また箱本体の対向側面に内接するように連接した２枚の内接板２３,２４は、箱外部からの衝撃がボトルに直接加わることがないように緩衝するパットとして機能するものである。従って、ウォーターサーバー用ボトルは安全に搬送・保管できることとなる。
【００１３】
また、ウォーターサーバーにボトルを設置する際は、ボトルをいちいち箱から取り出さずに、箱をひっくり返して専用のボトルをサーバーに逆さに設置することができる。
すなわちボトルをサーバーにセットするとき、開封した輸送箱の手穴と固定フレームの手穴とに同時に指を入れ把持した後、ボトルを箱に入れたまま、箱をひっくり返して、蓋をあけたボトルをサーバーに逆さに設置する。このとき、手穴の形成位置は水平位置より傾けて形成されているから、輸送箱を逆さにする操作がし易くなっている。また、固定フレームと箱本体は接着されていないので、ボトルをサーバーに設置後、箱本体並びに固定フレームを容易に取り外すことが可能となるのである。
【符号の説明】
【００１４】
Ａ  輸送箱
Ｂ  固定フレーム
Ｇ  ボトル
１〜４  側壁
６ａ〜９ａ  フラップ
１０，１１、２５、２６  手穴
２１  挿入溝
２２  上板
２３、２４  内接板
【図１】
0003157488.tif 000003
【図２】
0003157488.tif 000004
【図３】
0003157488.tif 000005
【図４】
0003157488.tif 000006
【図５】
0003157488.tif 000007
【図６】
0003157488.tif 000008